(57)【要約】
【課題】　強度が十分であり、砂の充填および交換が容易であり、汚れてしまった場合でも安全に丸洗いが可能であり、また安全性や防水性が充分であり、使用勝手に優れた、透明プラスチック製砂時計を提供する。
【解決手段】　本考案の砂時計本体は砂時計容器１０と第一蓋部２０と第二蓋部３０と砂時計容器１０の内部に封入される所定量の粉粒体（図示せず）で構成され、砂時計容器１０は第一容器１１ａと第二容器１１ｂと砂時計容器１０の中央部に設けられた孔部１２で形成され、第一容器１１ａと第二容器１１ｂとの形状および容積は同一となっている。第一容器１１ａと第二容器１１ｂの一端は開口されており、それぞれ開口部１３ａと開口部１３ｂと図示したとおり成型される。開口部１３ａと開口部１３ｂの周縁には第一蓋部２０と第二蓋部３０とで接続された後に固着可能になるように蓋部接続部１４ａと蓋部接続部１４ｂを設けて、砂時計容器１０は所定の金型により一体成型される。
【選択図】　図１
0003100439.tif 000002
【実用新案登録請求の範囲】
【請求項１】
プラスチック製の砂時計であり、砂時計本体は砂時計容器と第一蓋部と第二蓋部と砂時計本体に封入される所定量の粉粒体で構成され、前記砂時計容器は中央部に設けられた孔部によって第一容器と第二容器に区画されるように形成され、前記第一容器と前記第二容器の一端は開口され、前記容器の開口部周縁に前記蓋部と接続された後に固着可能になる蓋部接続部を設けて、前記砂時計容器が一体成型されることを特徴とする透明プラスチック製砂時計。
【請求項２】
前記蓋部接続部と前記蓋部との固着可能手段が、前記蓋部接続部と前記蓋部が着脱可能になる着脱接続部であることを特徴とする、請求項１に記載の透明プラスチック製砂時計。
【請求項３】
前記砂時計容器と前記第一蓋部と前記第二蓋部が透明または半透明プラスチック製であることを特徴とする、請求項１または請求項２のいずれかに記載の透明プラスチック製砂時計。
【請求項４】
前記第一蓋部または前記第二蓋部の前記粉粒体の落下面の略中心部にはレンズ効果を備えた凸部を設けたことを特徴とする、請求項１から請求項３のいずれかに記載の透明プラスチック製砂時計。
【請求項５】
前記蓋部が着脱可能または交換可能になっていて、前記蓋部の外面には情報表示手段を設けたことを特徴とする、請求項１から請求項４のいずれかに記載の透明プラスチック製砂時計。
【考案の詳細な説明】
【考案の詳細な説明】
【技術分野】
【０００１】　本発明は、砂時計本体は砂時計容器と第一蓋部と第二蓋部と所定量の粉粒体で構成され、前記砂時計容器は孔部によって第一容器と第二容器に区画されるように形成され、前記容器の開口部周縁に前記蓋部と接続された後に固着可能になる蓋部接続部を設けて、前記砂時計容器が一体成型されることを特徴とする透明プラスチック製砂時計に関する。
【背景技術】
【０００２】　従来、一般的に用いられている砂時計は、一対のガラス容器の中に封入された砂が落下することにより人間に視覚的にインパクトを与えながら、所定の時を知らせる仕組みになっており、日常生活のなかでは、ポピュラーな時間計測装置になっている。
　この簡便で視覚的にインパクトを与える時間計測装置は、大中小、形状も色々なタイプが市販されており、商品としての砂時計は、消費者の根強い嗜好に支えられ数多くの砂時計が市場に流通している。【０００３】　そのせいか、新規の機能をうたった砂時計の開発案件も多々成されていて、例えば、落下しても破損することなく、また砂の充填および密閉が容易なプラスチック製砂時計の提供を目的とし、その構成が、プラスチック製容器本体が中央部に設けられたオリフィスによって２室に区画され、一方の室が開口していて、一方の室の開口にフランジ部が設けられ、このフランジ部が金属蓋の周縁部に巻締められることを特徴とする、プラスチック製砂時計の案件が知られている。（特開平５−２８１３７１号公報を参照する）
【考案が解決しようとする課題】
【０００４】　ところが、上述のように流通している一般的な砂時計は、ガラス製となっている場合が多いので、日常生活のなかで些細なことや使用中に落下して破損する場合があった。また砂時計内部には、所定量の砂が充填されているが、ガラス製の砂時計内に砂を充填した後、密閉する作業は容易でない。
【０００５】　また、特開平５−２８１３７１号のプラスチック製砂時計の案件では、プラスチック製容器本体が中央部に設けられたオリフィスによって２室に区画され、一方の室が開口していて、一方の室の開口にフランジ部が設けられ、このフランジ部が金属蓋の周縁部に巻締められることを特徴とするが、作業性が大変でありコストアップの要因となっている、とか、この案件では一体成型した場合に中央部の強度に不安が残ると言うという指摘を受けている。
【０００６】　本考案は、上述した問題点を解決しようとしてなされたもので、その目的とするところは、強度が十分であり、例えば落下したり人間の大人が踏みつけても破損することがなく、また砂の充填および交換が容易である、透明プラスチック製砂時計の提供を目的とする。
【０００７】　また、本考案は、例えば日常生活や仕事での作業中に汚れてしまった場合でも、安全に丸洗いが可能であり、また安全性や防水性が充分であり、さらに見やすくすることで使用勝手に優れた、透明プラスチック製砂時計を提供しようとするものである。
【課題を解決するための手段】
【０００８】　課題を解決するための第１の手段として、プラスチック製の砂時計であり、砂時計本体は砂時計容器と第一蓋部と第二蓋部と砂時計本体に封入される所定量の粉粒体で構成され、前記砂時計容器は中央部に設けられた孔部によって第一容器と第二容器に区画されるように形成され、前記第一容器と前記第二容器の一端は開口され、前記容器の開口部周縁に前記蓋部と接続された後に固着可能になる蓋部接続部を設けて、前記砂時計容器が一体成型されることを特徴とする透明プラスチック製砂時計を提供するものである。
【０００９】　前記プラスチックに関しては、透明性を有するタイプであればどんなタイプでも使用可能である。
　前記粉粒体に関しては、砂時計用であれば、自然砂、ガラス粉、セラミック粉、金属粉、プラスチック粉、などから選択して用いればよい。なお、粒径に関しては前記孔部の寸法に合わせて、所定の寸法のものを用いる。
　前記孔部の寸法に関しては、目的とする測定時間に応じて設計される。
　前記第一容器と前記第二容器の形状に関しては、砂時計として機能すればどんな形状でも構わない。なお、前記容器の形状や寸法に関しては、目的とする測定時間に応じて設計される。
　前記固着可能になる手段に関しては、接着剤や高周波溶着や超音波溶着などの使用が好ましい。
　前記一体成型の手段に関しては、所定の射出成形金型内に射出成形あるいはブロー成形されることが好ましい。
【００１０】　課題を解決するための第２の手段として、前記蓋部接続部と前記蓋部との固着可能手段が、前記蓋部接続部と前記蓋部が着脱可能になる着脱接続部であることを特徴とする、課題を解決するための第１の手段に記載の透明プラスチック製砂時計を提供するものであるが、前記着脱接続部に関しては、また前記着脱可能な手段に関しては、前記蓋部接続部と前記蓋部が着脱可能な関係になっていればどんな手段を用いても構わないが、コスト的な観点と防水対策のし易さから螺子式であることが好ましい。
【００１１】　課題を解決するための第３の手段として、前記砂時計容器と前記第一蓋部と前記第二蓋部が透明または半透明プラスチック製であることを特徴とする、課題を解決するための第１の手段または課題を解決するための第２の手段に記載の透明プラスチック製砂時計を提供するものである。
【００１２】　前記透明または半透明プラスチックに関しては、例えば、アクリル、ポリカーボネート（ＰＣ）、ポリエチレンテレフタレート（ＰＥＴ）、ポリアリレート（ＰＡＲ）または、ポリサルフォン（ＰＳＦ）など透明性の高い合成樹脂の使用が好ましく、これらの合成樹脂を所定の射出成形金型内に射出成形あるいはブロー成形される。
【００１３】　課題を解決するための第４の手段として、前記第一蓋部または前記第二蓋部の前記粉粒体の落下面の略中心部にはレンズ効果を備えた凸部を設けたことを特徴とする、課題を解決するための第１の手段から課題を解決するための第３の手段のいずれかに記載の透明プラスチック製砂時計を提供するものであるが、前記レンズ効果に関しては、凸レンズの機能を有することが好ましい。
【００１４】　課題を解決するための第５の手段として、前記蓋部が着脱可能または交換可能になっていて、前記蓋部の外面には情報表示手段を設けたことを特徴とする、課題を解決するための第１の手段から課題を解決するための第４の手段のいずれかに記載の透明プラスチック製砂時計を提供するものであるが、前記情報表示手段に関しては、金型に情報が表示されるように加工しておくことで前記蓋部の外面または内面に情報が表示される手段や、シルク印刷や転写印刷やインクジェットレーザーなどの印刷手段や、箔押し手段や、シール手段、の中から選択して用いればよい。
　また、前記情報に関しては、文字や図形を単体で用いるか組合わせて用いることで、多くの表現方法が可能であるが、
【考案を実施するための最良の形態】
【００１５】　以下、図面を参照して本考案の実施の形態例について説明する。
　図１は本考案の実施の形態例を示す側面断面図と分解図であり、図２は本考案の実施の形態例を示す平面図と側面断面図である。【００１６】　図１において、本考案の砂時計本体は砂時計容器１０と第一蓋部２０と第二蓋部３０と砂時計容器１０の内部に封入される所定量の粉粒体（図示せず）で構成され、砂時計容器１０は第一容器１１ａと第二容器１１ｂと砂時計容器１０の中央部に設けられた孔部１２で形成され、第一容器１１ａと第二容器１１ｂとの形状および容積は同一となっている。第一容器１１ａと第二容器１１ｂの一端は開口されており、それぞれ開口部１３ａと開口部１３ｂと図示したとおり成型される。開口部１３ａと開口部１３ｂの周縁には第一蓋部２０と第二蓋部３０とで接続された後に固着可能になるように蓋部接続部１４ａと蓋部接続部１４ｂを設けて、砂時計容器１０は所定の金型により一体成型される。【００１７】　また、図１において、第一蓋部２０は、蓋部接続部１４ｂと接続できるように本体接続部２１を備え、前記粉粒体の落下面２２の略中心部にはレンズ効果を備えた凸部２３を設け、蓋部接続部１４ｂを介して砂時計容器１０と接着剤により固着される。また、第二蓋部３０は、蓋部接続部１４ａと接続できるように本体接続部３１を備え、前記粉粒体の落下面３２の略中心部にはレンズ効果を備えた凸部３３を設け、蓋部接続部１４ａを介して砂時計容器１０と接着剤により固着される。【００１８】　また、図１と図２において、第一蓋部２０の外面２４または／および第二蓋部３０の外面３４には、それぞれ情報表示手段２５または／および情報表示手段３５を設ける。また、本発明では、外面２４の反対面すなわち第一蓋部２０の内面でも情報表示手段２５は可能であり、外面３４の反対面すなわち第二蓋部３０の内面でも情報表示手段３５は可能である。【００１９】
【００２０】　次に透明プラスチック製砂時計の製造方法について説明する。
　まず、図１と図２より、まず砂時計容器１０を図示した形状になるように金型を加工し、加工した金型を介して前記成型手段で成形する。次に、第一蓋部２０と第二蓋部３０を所定の情報が表示されるように金型を加工し、この金型を用いて前記成型手段で成形する。次に、開口部１３ａまたは開口部１３ｂから砂時計容器１０の内部に目的に応じた所定量の粉粒体（例えばセラミック粉、図示せず）を入れ、その後に開口部１３ａと開口部１３ｂの周縁と第一蓋部２０と第二蓋部３０とを接着剤で固着する。このようにして、本考案の一例として図示したような透明プラスチック製砂時計が得られる。【００２１】
【考案の効果】
【００２２】　請求項１により本考案の透明プラスチック製砂時計は、本体や孔部の周囲が十分な肉厚を備えた一体成型の製品であることで、十分な強度を有しているので製品寿命が長いことと、落下による全体または本体の一部または孔部または孔部の周囲の破損が生じにくい。また、防水性も十分なので、本体が汚れても全体を洗浄でき、さらに洗浄中の破損にも強いので安心である。さらに、上述した効果により、浴場で使用しても安全である。
【００２３】　請求項２により本考案の透明プラスチック製砂時計は、上述した考案の効果に加えて、前記蓋部接続部と前記蓋部との固着可能手段が、前記蓋部接続部と前記蓋部が着脱可能になる着脱接続部であることを特徴とすることで、前記粉粒体の充填作業または密閉作業または交換作業が容易となる。
【００２４】　請求項３により本考案の透明プラスチック製砂時計は、上述した考案の効果に加えて、前記砂時計容器と前記第一蓋部と前記第二蓋部が透明または半透明プラスチック製であることを特徴とすることで、全体または粉粒体が見易くなり、年配者の使い勝手が向上し、商品価値が向上することで、本考案の売上増大に貢献することが可能となる。
【００２５】　請求項４により本考案の透明プラスチック製砂時計は、上述した考案の効果に加えて、前記第一蓋部または前記第二蓋部の前記粉粒体の落下面の略中心部にはレンズ効果を備えた凸部を設けたことを特徴とすることで、透明な蓋部より本体内部の粉粒体を拡大して見ることが可能になり、また、落下時の粉粒体が凸部と接触することで粉粒体の容器内での広がり感を演出したり、さらにレンズ効果との相乗効果で粉粒体の落下時の状態を観察しやすくなることによって、本考案が教材としても有用であり、また、粉粒体の落下時の状態を観察することが、精神を落ち着かせる効果もあり、ストレス多き現代社会においては本考案が癒し系の商品として売上の増大に貢献することと、本考案の購買者の感性を豊かにする効果や癒し効果で商品としての満足度を向上させる。
【００２６】　請求項５により本考案の透明プラスチック製砂時計は、上述した考案の効果に加えて、前記蓋部が着脱可能または交換可能になっていて、前記蓋部の外面には情報表示手段を設けたことを特徴とすることで、本考案を販売促進用商品に活用したり、ＯＥＭ商品としての展開が可能である。
【図面の簡単な説明】
【００２７】
【図１】本考案の実施の形態例を示す側面断面図と分解図。
【図２】本考案の実施の形態例を示す平面図と側面断面図。
【符号の説明】
　１０　　　砂時計容器
　２０　　　第一蓋部
　２１　　　本体接続部
　２２　　　粉粒体の落下面
　２３　　　凸部
　２４　　　外面
　２５　　　情報表示手段
　３０　　　第二蓋部
　３１　　　本体接続部
　３２　　　粉粒体の落下面
　３３　　　凸部
　３４　　　外面
　３５　　　情報表示手段
　１１ａ　　第一容器
　１１ｂ　　第二容器
　１２　　　孔部
　１３ａ，１３ｂ　　開口部
　１４ａ，１４ｂ　　蓋部接続部
【図１】
0003100439.tif 000003
【図２】
0003100439.tif 000004